(57)【要約】      （修正有）【課題】ファイルの切断作業を容易、かつ確実に行うことができる各種サイズのクリアファイルとして各種サイズの収納物をファイリング可能とした切り離し可能なクリアファイルを提供する。【解決手段】開いた状態で最大サイズの書類を収納可能なファイル１であって、該ファイルに２つ折り可能な折りすじ２、および切り離し可能なミシン目または切取り線３を入れ、閉じた状態で該サイズの１／２サイズの書類を収納可能とすると共に、一方、ミシン目または切取り線から切り離し、２つのクリアファイルとして使用することを特徴とする切り離し可能なクリアファイル。【選択図】図１
0003147023.tif 000002
【実用新案登録請求の範囲】
【請求項１】
開いた状態で最大サイズの書類を収納可能なファイルであって、該ファイルに２つ折り可能な折りすじ、および切り離し可能なミシン目または切取り線を入れ、閉じた状態で該サイズの１／２サイズの書類を収納可能とすると共に、一方、ミシン目または切取り線から切り離し、２つのクリアファイルとして使用することを特徴とする切り離し可能なクリアファイル。
【請求項２】
請求項１に記載のフィルム材料が合成樹脂シートからなることを特徴とする切り離し可能なクリアファイル。
【請求項３】
請求項１または２記載のフィルム材料がオフセット印刷、シルク印刷、または箱押しを用いて絵、文字、写真等の印刷を施こしたことを特徴とする切り離し可能なクリアファイル。
【請求項４】
請求項１に記載の開いた状態での最大サイズがＡ４サイズであることを特徴とする切り離し可能なクリアファイル。
【考案の詳細な説明】
【技術分野】
【０００１】
本考案は、ファイルの切断作業を容易、かつ確実に行うことができる各種サイズのクリアファイルとして各種サイズの収納物をファイリング可能とした切り離し可能なクリアファイルに関するものである。
【背景技術】
【０００２】
従来、書類等を整理するためにファイルが広く販売されている。また、そのクリアファイルと兼ねたものとして、例えば実用新案登録第３１２６２７９号公報（特許文献１）に開示されているような、手提げバックとして使用した後にファイルとしても利用可能なバックが提案されている。また、実用新案登録第３１１５７１０号公報（特許文献２）に開示されているような、ポリプロピレン材料を使用したシルクスクリーン印刷もしくは箔押しのインクのものにヒート圧着で綴じ袋状にしたものを長方形や楕円形で抜型をして持ち歩ける袋となり、またミシン目や切り込みをいれることにより切り離してクリアファイルとして使用するものが提案されている。
【０００３】
さらに、実用新案登録第３１０９９３０号公報（特許文献３）に開示されているような、手提げカバンとして使用でき、かつカバンの一部を切り離し封をすることで郵送することができ、郵送後受け取った側が封筒の一部を切り離すことでクリアファイルとして使用することができる３通り仕様のクリアファイルが提案されている。
【特許文献１】実用新案登録第３１２６２７９号公報
【特許文献２】実用新案登録第３１１５７１０号公報
【特許文献３】実用新案登録第３１０９９３０号公報
【考案の開示】
【考案が解決しようとする課題】
【０００４】
上述した特許文献１は、手提げバックとして使用した後にファイルとしても利用可能なバックであり、また、特許文献２は、持ち歩ける袋をミシン目や切り込みをいれることにより切り離してクリアファイルとして使用するものであり、さらに、特許文献３は、手提げカバンとして使用でき、そのカバンの一部を切り離し封をすることで郵送袋とし、郵送後受け取った側が封筒の一部を切り離すことでクリアファイルとして使用するもので、いずれも主として手提げバック、カバン、袋をミシン目や切り込みをいれることにより切り離してクリアファイルとして使用するものであります。
【０００５】
しかしながら、いずれの特許文献も、手提げバックやカバンを切り離してクリアファイルに使用しようとする、異なった用途に使用しようとする考え方であって、書類整理のために実に簡単で利用されるクリアファイル単独同士でのサイズ変更をして使用する考え方は全く開示されていない。特に、サイズ変更にあたっても同一ファイルを利用して異なるサイズに簡単に変更して使用することが日常極めて便利であることから提案した切り離し可能なクリアファイルを提供するものである。
【課題を解決するための手段】
【０００６】
その考案の要旨とするところは、
（１）開いた状態で最大サイズの書類を収納可能なファイルであって、該ファイルに２つ折り可能な折りすじ、および切り離し可能なミシン目または切取り線を入れ、閉じた状態で該サイズの１／２サイズの書類を収納可能とすると共に、一方、ミシン目または切取り線から切り離し、２つのクリアファイルとして使用することを特徴とする切り離し可能なクリアファイル。
（２）前記（１）に記載のフィルム材料が合成樹脂シートからなることを特徴とする切り離し可能なクリアファイル。
（３）前記（１）または（２）記載のフィルム材料がオフセット印刷、シルク印刷、または箱押しを用いて絵、文字、写真等の印刷を施こしたことを特徴とする切り離し可能なクリアファイル。
（４）前記（１）に記載の開いた状態での最大サイズがＡ４サイズであることを特徴とする切り離し可能なクリアファイルにある。
【考案の効果】
【０００７】
以上述べたように、本考案により開いた状態では大きいために大きい書類を整理するためには便利であるが、例えばバック等に入れるには大きくて入らない場合には二つ折りにより容易にバックに入れることができる。例えれば小さい紙類である領収書、写真等を入れても収まりが良く収納することが出来る。一方、ミシン目または切取り線から切り離し、２つのクリアファイルとして使用可能となり、さらに各々の柄の異なる印刷をすることで、収納物の区別が付き、しかも切り離したクリアファイルに、例えば写真等を入れる等極めて優れた効果を奏するものである。
【考案を実施するための最良の形態】
【０００８】
以下、本考案について図面に従って詳細に説明する。
図１は、本考案に係るクリアファイルの実施例を示す正面図である。また、図２は、図１に係るクリアファイルの外面図であり、そこで例えばＡ４サイズの場合を例として説明すると、この図１〜２に示すように、開いた状態でのＡ４サイズの書類を収納可能なファイルであって、このファイル１に２つ折り可能な折りすじ２と、切り離し可能なミシン目または切取り線３（以下、切取り線という）を入れる。そして閉じた状態で該サイズの１／２サイズの書類を収納可能とする。一方、切取り線３から切り離し、２つのクリアファイルとして使用することもできる。符号４は開口部であり、５は綴じ目であり、６はファイル１に書類を収納するときに便利な開き口を示す。
【０００９】
図３は、本考案に係るクリアファイルの展開図である。この図３は、上述した図１または２に示すクリアファイルをシール加工する前の状態を示している。この図に示すように３本の折りすじ２を設け、中心の折りすじ２を中心として、左右に設けた折りすじ２を折り曲げて本考案に係るクリアファイルを作製するものである。
【００１０】
図４は、本考案に係るクリアファイルを切取り線から切り離し、２つのクリアファイルにした１つの切り離しクリアファイルを示した図である。この図に示すように、例えばＡ４サイズのクリアファイルを折りすじ２の左右に設置された切取り線３から切り離し、一方、開口部４側に設けた切取り線３を切り離しすることにより、Ａ４サイズのクリアファイルをその１／２のサイズとすることができる。すなわち、切り離すとそのまま二つのクリアホルダーとして使用できる。
【００１１】
上記ファイル１は、クリアファイルとして使用するに便利であることから、フィルム材料が合成樹脂シート等からなる透明な合成樹脂、例えばポリエチレン、ポリプロピレン材料、プラスチック材料が好ましく、そのフィルム材料がオフセット印刷、シルク印刷、または箱押しを用いて絵、文字、写真等の印刷を施こしたことにより、切り離した二つのクリアホルダーとする場合には、各々の柄の違う印刷をすることで、その使用を楽しむことができる。
【００１２】
上述した開いた状態での最大サイズがＡ３サイズであれば、その１／２がＡ４サイズとなり、最大サイズがＢ４サイズであれば、その１／２がＢ５サイズとなり、通常の基準のサイズとしての書類の収納が可能であり、また、上述したＡ４サイズを使用する場合は、その１／２は通常の基準として使用されているサイズでないが、クリアホルダーとしても使用することが出来る極めて簡単で便利なクリアファイル、ホルダーとして使用可能となる。
【図面の簡単な説明】
【００１３】
【図１】本考案に係るクリアファイルの実施例を示す正面図である。
【図２】図１に係るクリアファイルの外面図である。
【図３】本考案に係るクリアファイルの展開図である。
【図４】本考案に係るクリアファイルを切取り線から切り離し、２つのクリアファイルにした１つの切り離しクリアファイルを示した図である。
【符号の説明】
【００１４】
１  ファイル
２  折りすじ
３  切取り線
４  開口部
５  綴じ目
６  開き口
実用新案登録出願人  有限会社トライアド
代理人    弁理士    椎  名    彊
【図１】
0003147023.tif 000003
【図２】
0003147023.tif 000004
【図３】
0003147023.tif 000005
【図４】
0003147023.tif 000006